(57)【特許請求の範囲】
【請求項１】
内周面に動圧発生溝が形成された複数の合成樹脂製の筒状軸受が、金属または合成樹脂製スリーブの内周に、軸方向に所定寸法だけ離隔して配置されたラジアル動圧軸受であって、
上記複数の合成樹脂製の筒状軸受は、弾性を有する接着剤によって、上記スリーブの内周面に接着されており、この筒状軸受の内周面に動圧発生のための微小隙間を介して挿通される回転軸に沿うような調心性を有し、
上記複数の合成樹脂製の筒状軸受の外周面にはネジ山が形成され、上記スリーブの内周面にはネジ溝が形成され、上記筒状軸受と上記スリーブとが所定寸法だけ軸方向に相対移動したときに上記ネジ山とネジ溝とが係合するように、上記ネジ山とネジ溝とが緩く螺合していることを特徴とするラジアル動圧軸受。
【発明の詳細な説明】
【０００１】
【発明の属する技術分野】
この発明は、回転軸を軸方向に離隔した複数の軸受でもって径方向に支持するラジアル動圧軸受に関する。
【０００２】
【従来の技術】
従来、この種のラジアル動圧軸受としては、図２に示すように、合成樹脂製スリーブ１０１の内周面１０１Ａに、２つの合成樹脂製の筒状軸受１０２,１０３が軸方向に所定寸法だけ離隔して配置されたものがある。この２つの筒状軸受１０２と１０３の内周面にはラジアル方向の動圧を発生するための動圧発生溝１０５と１０６が形成されている。上記スリーブ１０１の内周面１０１Ａへの筒状軸受１０２,１０３の固定は、圧入もしくは接着によってなされる。
【０００３】
【発明が解決しようとする課題】
ところで、動圧発生溝１０５,１０６は、回転軸１０７との間に微小な(ミクロンオーダの)隙間を維持する必要がある。したがって、上記２つの筒状軸受１０２と１０３は、相互の同軸度を高精度に保つ必要があることはもちろん、内側に挿通される回転軸１０７に対する同軸度を高精度に保持する必要がある。
【０００４】
ところが、従来のように圧入や接着によってスリーブ１０１の内周面１０１Ａに筒状軸受１０２,１０３を固定する場合には、回転軸１０７が偏心したときに回転軸１０７に対して同軸度を維持できない。
【０００５】
また、スリーブ１０１に筒状軸受１０２,１０３を圧入によって固定する場合には、軸受１０２,１０３の変形によって、軸受１０２と１０３の同軸度が低下する恐れがある。また、上記スリーブ１０１に筒状軸受１０２,１０３を接着によって固定する場合には、接着剤が剥がれてスリーブ１０１から軸受１０２，１０３が脱落する恐れもある。
【０００６】
そこで、この発明の目的は、回転軸の偏心に追随して同軸度を維持できるラジアル動圧軸受を提供することにある。
【０００７】
【課題を解決するための手段】
上記目的を達成するため、請求項１の発明は、内周面に動圧発生溝が形成された複数の合成樹脂製の筒状軸受が、金属または合成樹脂製スリーブの内周に、軸方向に所定寸法だけ離隔して配置されたラジアル動圧軸受であって、
上記複数の合成樹脂製の筒状軸受は、弾性を有する接着剤によって、上記スリーブの内周面に接着されており、この筒状軸受の内周面に動圧発生のための微小隙間を介して挿通される回転軸に沿うような調心性を有し、
上記複数の合成樹脂製の筒状軸受の外周面にはネジ山が形成され、上記スリーブの内周面にはネジ溝が形成され、上記筒状軸受と上記スリーブとが所定寸法だけ軸方向に相対移動したときに上記ネジ山とネジ溝とが係合するように、上記ネジ山とネジ溝とが緩く螺合していることを特徴としている。
【０００８】
この請求項１の発明によれば、複数の合成樹脂製の筒状軸受は、弾性を有する接着剤によって、上記スリーブの内周面に接着されている。したがって、上記合成樹脂製筒状軸受の内周に挿通させた回転軸が偏心すると、上記接着剤が弾性で伸縮して、上記偏心に沿って上記複数の筒状軸受が傾き、上記複数の筒状軸受は上記回転軸との同軸度を保つように自己調心する。したがって、この発明によれば、回転軸の偏心に追随して同軸度を維持できる。
【０００９】
また、この請求項１の発明によれば、上記複数の筒状軸受の外周面に形成されたネジ山と上記スリーブの内周面に形成されたネジ溝とが緩く螺合しているから、上記筒状軸受とスリーブとが所定寸法だけ軸方向に相対移動したときに上記ネジ山とネジ溝とが軸方向に係合する。したがって、上記弾性を有する接着剤による接着の剥がれを防止できると同時に、上記筒状軸受が上記スリーブから脱落することを防止できる。
【００１０】
【発明の実施の形態】
以下、この発明を図示の実施の形態により詳細に説明する。
【００１１】
図１に、この発明のラジアル動圧軸受の実施の形態の断面を示す。この実施形態は、銅合金製スリーブ１と、ＰＰＳ(ポリフェニレンサルフィド)製の筒状軸受２,３とを備えている。上記筒状軸受２および３は、その外周面２Ａと３Ａにネジ山５と６が形成されている。また、上記銅合金製スリーブ１の内周面１Ａの軸方向の両端の領域にはネジ溝７および８が形成されている。上記ネジ溝７は上記ネジ山５に緩く螺合しており、上記ネジ溝８は上記ネジ山６に緩く螺合している。
【００１２】
また、上記筒状軸受２の内周面２Ｂには径方向の動圧を発生させるための動圧溝１４が形成されている。また、上記筒状軸受３の内周面３Ｂには径方向の動圧を発生させるための動圧溝１５が形成されている。
【００１３】
また、上記筒状軸受２の外周のネジ山５と上記スリーブ１の内周のネジ溝７との間にはシリコン樹脂製の接着剤１０が充填されて、ネジ山５とネジ溝７とを接着している。また、上記ネジ山６とネジ溝８との間にはシリコン樹脂製の接着剤１１が充填されて、ネジ山６とネジ溝８とを接着している。このネジ山５,６とネジ溝７,８は、筒状軸受２,３がスリーブ１に対して軸方向に所定寸法だけ相対移動したときに係合するようになっている。
【００１４】
そして、上記銅合金製スリーブ１の内周に固定された筒状軸受２および３には、回転軸１２が挿通される。この回転軸１２と筒状軸受２との間には動圧発生のための１０μｍ程度の微小隙間が形成されるようになっている。
【００１５】
上記構成のラジアル動圧軸受は、上記回転軸１２が上記筒状軸受２および３の内側で回転すると、動圧溝１４および１５が上記微小隙間に存する流体に径方向の動圧を発生させて、回転軸１２に対して軸受２,３およびスリーブ１を径方向に支持する。
【００１６】
このとき、回転軸１２が偏心すると、上記リシコン樹脂製の接着剤１０および１１が伸縮して、上記偏心に沿って上記２つの筒状軸受２,３が傾き、筒状軸受２,３は回転軸１２との同軸度を保つように自己調心する。したがって、この実施形態によれば、接着剤１０と１１の弾性伸縮によって、筒状軸受２と３を回転軸１２の偏心に追随させることができ、筒状軸受２,３の回転軸１２に対する同軸度を常に維持できる。
【００１７】
また、この実施の形態は、上記筒状軸受２のネジ山５とスリーブ１のネジ溝７とが緩く螺合しており、筒状軸受３のネジ山６とスリーブ１のネジ溝８とが緩く螺合している。従って、上記筒状軸受２，３と上記スリーブ１とが所定寸法だけ軸方向に相対移動したときに上記ネジ山５,６とネジ溝７,８とが係合する。したがって、上記弾性を有するシリコン接着剤１０,１１による接着の剥がれを防止でき、上記筒状軸受２,３が上記スリーブ１から脱落することを防止できる。
【００１８】
また、上記ネジ山５，６とネジ溝７，８との螺合が緩い螺合にしたから、ネジ加工精度が低くてもよいので、加工費を低減できる。
【００１９】
尚、上記実施形態では、スリーブ１を銅合金製としたが、ＰＥＴ(ポリエチレンテレフタレート)製もしくは他の合成樹脂製としてもよい。また、筒状軸受２,３をＰＰＳ製としたが、他の合成樹脂製としてもよい。また、上記接着剤１０,１１を変性アクリル樹脂製としてもよい。さらに、上記筒状軸受は、軸方向に３つ以上配置されていてもよい。
【００２０】
【発明の効果】
以上より明らかなように、請求項１の発明は、内周面に動圧発生溝が形成された複数の合成樹脂製の筒状軸受が、金属または合成樹脂製スリーブの内周に、軸方向に所定寸法だけ離隔して配置されており、上記複数の合成樹脂製の筒状軸受は、弾性を有する接着剤によって、金属または合成樹脂製スリーブの内周面に接着されており、この筒状軸受の内周面に動圧発生のための微小隙間を介して挿通される回転軸に沿うような調心性を有し、上記複数の合成樹脂製の筒状軸受の外周面にはネジ山が形成され、上記スリーブの内周面にはネジ溝が形成され、上記筒状軸受と上記スリーブとが所定寸法だけ軸方向に相対移動したときに上記ネジ山とネジ溝とが係合するように、上記ネジ山とネジ溝とが緩く螺合している。
【００２１】
したがって、上記合成樹脂製筒状軸受の内周に挿通させた回転軸が偏心すると、上記接着剤が弾性で伸縮して、上記偏心に沿って上記複数の筒状軸受が傾き、上記複数の筒状軸受は上記回転軸との同軸度を保つように自己調心する。したがって、この発明によれば、上記接着剤の弾性伸縮によって、複数の筒状軸受を上記回転軸の偏心に追随させることができ、筒状軸受の回転軸に対する同軸度を常時維持できる。
【００２２】
また、この請求項１の発明によれば、上記筒状軸受とスリーブとが所定寸法だけ軸方向に相対移動したときに上記ネジ山とネジ溝とが軸方向に係合する。したがって、上記弾性を有する接着剤による接着の剥がれを防止できると同時に、上記筒状軸受が上記スリーブから脱落することを防止できる。
【図面の簡単な説明】
【図１】  この発明のラジアル動圧軸受の実施の形態を示す断面図である。
【図２】  従来のラジアル動圧軸受を示す断面図である。
【符号の説明】
１…銅合金製スリーブ、２,３…筒状軸受、２Ａ,３Ａ…外周面、
２Ｂ,３Ｂ…内周面、５,６…ネジ山、７,８…ネジ溝、１０,１１…接着剤。
【図１】
0003792793.tif 000002
【図２】
0003792793.tif 000003